(57)【要約】【課題】風呂熱交換器においてドレンが発生することを抑えることができる給湯器を提供すること。【解決手段】給湯器１０は、バーナ２０３、２０４と給湯熱交換器２０６と風呂熱交換器２０７とを有する燃焼装置２０１と、風呂熱交換器２０７と浴槽５０とを接続する第１管路６９１および第２管路６９２を有する浴槽の配管系統６００と、給湯熱交換器２０６により生成された湯を第２管路６９２へ導く注湯管６４３、６４４と、湯の量を制御する湯量サーボ２２４と、制御装置７０と、を備える。制御装置７０は、燃焼装置２０１により生成された湯を浴槽５０に供給する湯張り動作を実行する際に、風呂熱交換器２０７の内部の湯を空気に置換する空気置換動作を実行した後、湯張り動作における湯張り設定温度に応じて湯量サーボ２２４を制御するとともに第２管路６９２のみを用いて浴槽５０に湯を供給する制御を実行する。【選択図】図１
2019148356.tif 000002
【特許請求の範囲】
【請求項１】
ガスの燃焼により水を加熱するバーナと、水供給源から供給された水を前記バーナにより加熱し湯を生成する給湯熱交換器と、前記給湯熱交換器に隣接され前記給湯熱交換器および浴槽の少なくともいずれかから供給された水を前記バーナにより加熱し湯を生成する風呂熱交換器と、を有する燃焼装置と、
前記風呂熱交換器と前記浴槽とを接続して前記風呂熱交換器と前記浴槽との間において水を循環させる第１管路および第２管路を有する浴槽の配管系統と、
前記給湯熱交換器により生成された湯を前記第２管路へ導く注湯管と、
前記給湯熱交換器から前記注湯管へ導かれる湯の量を制御する湯量サーボと、
前記燃焼装置と前記湯量サーボとの動作を制御する制御装置と、
を備え、
前記制御装置は、前記燃焼装置により生成された湯を前記浴槽に供給する湯張り動作を実行する際に、前記風呂熱交換器の内部の湯を空気に置換する空気置換動作を実行した後、前記湯張り動作における湯張り設定温度に応じて前記湯量サーボを制御するとともに前記第２管路のみを用いて前記浴槽に湯を供給する制御を実行することを特徴とする給湯器。
【請求項２】
前記制御装置は、前記空気置換動作において、前記湯張り動作を開始してから前記第１管路および前記第２管路を通して所定量の湯を前記浴槽へ供給した後、前記湯量サーボを閉じる制御を実行することにより前記風呂熱交換器の内部の湯を前記第２管路へ導き前記空気に置換することを特徴とする請求項１に記載の給湯器。
【請求項３】
前記第２管路に配置され前記第２管路を通して前記浴槽の内部の水を前記風呂熱交換器へ送る風呂ポンプと、
前記第２管路に配置され前記浴槽の内部の水位を検出する水位センサと、
をさらに備え、
前記制御装置は、前記空気置換動作において、前記水位センサの検出信号に基づいて前記浴槽の内部の水が所定水位に下がったことを検知すると、前記給湯熱交換器により生成された湯を前記風呂熱交換器の内部へ導き前記風呂熱交換器の内部の配管を洗浄する配管洗浄動作を実行し、前記配管洗浄動作を終了した後、前記風呂ポンプを駆動させて前記風呂熱交換器の内部の湯を前記浴槽の内部に排出し前記空気に置換することを特徴とする請求項１に記載の給湯器。
【発明の詳細な説明】
【技術分野】
【０００１】
本発明は、給湯器に関する。
【背景技術】
【０００２】
特許文献１には、熱交換器からの湯とバイパス路からの水とを混合して任意の設定温度の出湯を行ういわゆるバイパスミキシング方式の給湯器が開示されている。特許文献１に記載された給湯器は、バイパス水量を可変制御するバイパス弁と、熱交換器による焚き上げ温度やバイパス弁の開度を制御する制御手段と、を備える。特許文献１に記載されたような給湯単能器や、風呂熱交換器およびバーナの組と給湯熱交換器およびバーナの組とが別々に設けられたいわゆる二缶二水の給湯器は、給湯中に熱交換器が結露しないようにするために、熱交換器では高温の湯を作り、バイパスサーボを用いて給湯熱交換器で作った湯に上水を混ぜることで、例えば浴槽内に供給する設定温度の湯を作っている。
【０００３】
給湯器に対しては、３３℃程度の低い温度で湯張りを行いたいという要望がある。二缶二水の給湯器が３３℃の湯張り設定温度の湯張り動作を実行すると、湯張り動作中の給湯出湯温度は、３３℃である。そのため、給湯熱交換器の温度は、給湯熱交換器が結露しない温度に保持される。
【０００４】
一方で、風呂熱交換器および給湯熱交換器が共通のバーナにより加熱される一缶二水の給湯器が湯張り動作を実行すると、給湯熱交換器において加熱された水は、風呂熱交換器において再加熱される。そのため、給湯熱交換器において加熱された水の温度は、風呂熱交換器においてさらに上昇する。そのため、一缶二水の給湯器が３３℃の湯張り設定温度の湯張り動作を実行する際に、給湯出湯温度が３３℃であると、３３℃以上の湯が浴槽に供給される。これに対して、風呂熱交換器における再加熱を考慮し、給湯出湯温度を３３℃よりも低い温度に設定することが一策として挙げられる。
【先行技術文献】
【特許文献】
【０００５】
【特許文献１】特開平７−１９０３９５号公報
【発明の概要】
【発明が解決しようとする課題】
【０００６】
しかし、給湯出湯温度を３３℃よりも低い温度（例えば３０℃）に設定すると、３３℃よりも低い温度の湯が給湯熱交換器から風呂熱交換器に流れる。そうすると、湯張り動作中に風呂熱交換器が結露し、風呂熱交換器においてドレンが発生するおそれがある。風呂熱交換器にドレンが発生すると、給湯器の寿命が短くなるおそれがある。
【０００７】
本発明は、前記課題を解決するためになされたものであり、風呂熱交換器においてドレンが発生することを抑えることができる給湯器を提供することを目的とする。
【課題を解決するための手段】
【０００８】
前記課題は、本発明によれば、ガスの燃焼により水を加熱するバーナと、水供給源から供給された水を前記バーナにより加熱し湯を生成する給湯熱交換器と、前記給湯熱交換器に隣接され前記給湯熱交換器および浴槽の少なくともいずれかから供給された水を前記バーナにより加熱し湯を生成する風呂熱交換器と、を有する燃焼装置と、前記風呂熱交換器と前記浴槽とを接続して前記風呂熱交換器と前記浴槽との間において水を循環させる第１管路および第２管路を有する浴槽の配管系統と、前記給湯熱交換器により生成された湯を前記第２管路へ導く注湯管と、前記給湯熱交換器から前記注湯管へ導かれる湯の量を制御する湯量サーボと、前記燃焼装置と前記湯量サーボとの動作を制御する制御装置と、を備え、前記制御装置は、前記燃焼装置により生成された湯を前記浴槽に供給する湯張り動作を実行する際に、前記風呂熱交換器の内部の湯を空気に置換する空気置換動作を実行した後、前記湯張り動作における湯張り設定温度に応じて前記湯量サーボを制御するとともに前記第２管路のみを用いて前記浴槽に湯を供給する制御を実行することを特徴とする給湯器により解決される。
【０００９】
前記構成によれば、制御装置は、燃焼装置により生成された湯を浴槽に供給する湯張り動作を実行する際に、風呂熱交換器の内部の湯を空気に置換する空気置換動作を実行する。これにより、風呂熱交換器の内部の配管は、空気で満たされる。湯張り設定温度が３３℃程度の低い温度である場合には、制御装置は、空気置換動作を実行した後、湯張り動作における湯張り設定温度（３３℃程度）に応じて湯量サーボを制御するとともに、第２管路のみを用いて浴槽に湯を供給する制御を実行する。そのため、湯張り動作中において、風呂熱交換器の内部の配管が空気で満たされた状態のままで、給湯熱交換器により生成された湯は、注湯管を通り、風呂熱交換器に導かれることなく浴槽に供給される。また、給湯熱交換器により生成された湯は、風呂熱交換器には導かれないため、風呂熱交換器において再加熱されない。そのため、制御装置は、給湯出湯温度を湯張り設定温度（３３℃程度）と同じ温度に設定することができる。そのため、湯張り動作中では、風呂熱交換器の温度が比較的高い温度に保持される。これにより、風呂熱交換器においてドレンが発生することを抑えることができる。また、給湯器の寿命が短くなることを抑えることができる。
【００１０】
好ましくは、前記制御装置は、前記空気置換動作において、前記湯張り動作を開始してから前記第１管路および前記第２管路を通して所定量の湯を前記浴槽へ供給した後、前記湯量サーボを閉じる制御を実行することにより前記風呂熱交換器の内部の湯を前記第２管路へ導き前記空気に置換することを特徴とする。
【００１１】
前記構成によれば、制御装置は、湯張り動作を開始してから所定量の湯を浴槽へ供給した後に湯量サーボを閉じる一連の動作により、風呂熱交換器の内部の湯を第２管路へ導き空気に置換する空気置換動作を実行することができる。
【００１２】
好ましくは、前記第２管路に配置され前記第２管路を通して前記浴槽の内部の水を前記風呂熱交換器へ送る風呂ポンプと、前記第２管路に配置され前記浴槽の内部の水位を検出する水位センサと、をさらに備え、前記制御装置は、前記空気置換動作において、前記水位センサの検出信号に基づいて前記浴槽の内部の水が所定水位に下がったことを検知すると、前記給湯熱交換器により生成された湯を前記風呂熱交換器の内部へ導き前記風呂熱交換器の内部の配管を洗浄する配管洗浄動作を実行し、前記配管洗浄動作を終了した後、前記風呂ポンプを駆動させて前記風呂熱交換器の内部の湯を前記浴槽の内部に排出し前記空気に置換することを特徴とする。
【００１３】
前記構成によれば、浴槽の栓が抜かれて浴槽の内部の水が所定水位に下がると、制御装置は、給湯熱交換器により生成された湯を風呂熱交換器の内部へ導き、風呂熱交換器の内部の配管を洗浄する配管洗浄動作を実行する。そして、制御装置は、配管洗浄動作を終了した後、風呂ポンプを駆動させて風呂熱交換器の内部の湯を浴槽の内部に排出し空気に置換する空気置換動作を実行することができる。
【発明の効果】
【００１４】
本発明によれば、風呂熱交換器においてドレンが発生することを抑えることができる給湯器を提供することができる。
【図面の簡単な説明】
【００１５】
【図１】本発明の実施形態に係る給湯器を表す配管図である。
【図２】本実施形態に係る給湯器の配管の概略図である。
【図３】本実施形態の第１空気置換動作を説明する模式図である。
【図４】本実施形態の第２空気置換動作を説明する模式図である。
【発明を実施するための形態】
【００１６】
以下に、本発明の好ましい実施形態を、図面を参照して詳しく説明する。なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００１７】
図１は、本発明の実施形態に係る給湯器を表す配管図である。
本実施形態の給湯器１０は、ガス湯沸かし部２０と、制御装置７０と、を備える。ガス湯沸かし部２０と浴槽５０とは、配管や各種の弁等を介して相互に連結されている。制御装置７０と、ガス湯沸かし部２０などの制御対象と、の電気的な接続は、図面の簡単化のために省略している。給湯器１０は、例えば集合住宅の各住戸や戸建て住宅等に設置される。
【００１８】
図１に示すように、水供給源（例えば水道）から供給された水は、給水管１５１を通じてガス湯沸かし部２０に供給される。給水管１５１は、水フィルタ兼水道栓１５２を介して第１水導入管１５３に接続されている。第１水導入管１５３は、水量センサ１１６と、バイパスサーボ１１４と、を介して、第２水導入管１５４に接続されている。
【００１９】
なお、本願明細書において、単に「水」という場合には、加熱されていない冷水だけではなく、加熱された温水あるいは湯が「水」に含まれることがある。
【００２０】
図１に示すように、ガス湯沸かし部２０は、燃焼装置２０１と、中和器２３１と、ドレンタンク２３３と、風呂ポンプ２３５と、浴槽の配管系統６００と、湯量サーボ２２４と、第１注湯管６４３と、第２注湯管６４４と、を有する。本発明の「注湯管」は、本実施形態の第１注湯管６４３および第２注湯管６４４の少なくともいずれかに相当する。燃焼装置２０１の燃焼室２０２には、第１バーナ２０３と、第２バーナ２０４と、給湯潜熱熱交換器２０５と、給湯熱交換器２０６と、風呂熱交換器２０７と、が設けられている。また、燃焼装置２０１には、点火プラグ２１５と、フレームロッド２１６と、過熱防止装置（温度ヒューズ）２１７と、が取り付けられている。
【００２１】
第１バーナ２０３および第２バーナ２０４は、給湯熱交換器２０６および風呂熱交換器２０７の近傍に設けられ、給湯熱交換器２０６および風呂熱交換器２０７を加熱する。給湯熱交換器２０６は、多数のフィンを有し、第１バーナ２０３および第２バーナ２０４の少なくともいずれかにより加熱される。風呂熱交換器２０７は、給湯熱交換器２０６と同様に、多数のフィンを有し、第１バーナ２０３および第２バーナ２０４の少なくともいずれかにより加熱される。風呂熱交換器２０７は、給湯熱交換器２０６に比べると小さく、給湯熱交換器２０６に隣接して配置されている。
【００２２】
給湯潜熱熱交換器２０５は、給湯熱交換器２０６および風呂熱交換器２０７の上側に設けられ、燃焼室２０２の排ガスに含まれる潜熱を回収する。すなわち、給湯潜熱熱交換器２０５は、第１バーナ２０３および第２バーナ２０４の少なくともいずれかの燃焼により給湯熱交換器２０６および風呂熱交換器２０７が熱交換を行った後の燃焼排気と接触する位置に設けられている。このようにして、燃焼装置２０１は、第１バーナ２０３および第２バーナ２０４の少なくともいずれかの燃焼により、燃焼装置２０１に供給された水を加熱することができる。
【００２３】
燃焼室２０２には、燃焼ファン２０８と、ガス管６０１と、が接続されている。ガス管６０１は、第１ガス分岐管６０２および第２ガス分岐管６０３を介して燃焼室２０２に接続されている。燃焼ファン２０８は、第１バーナ２０３および第２バーナ２０４の燃焼に必要な空気を燃焼室２０２に送る。ガス管６０１は、第１ガス分岐管６０２と、第２ガス分岐管６０３と、に分岐している。ガス管６０１は、第１ガス分岐管６０２を介して、第１バーナ２０３に対して燃焼に必要なガスを導く。また、ガス管６０１は、第２ガス分岐管６０３を介して、第２バーナ２０４に対して燃焼に必要なガスを導く。図１の給湯器１０は、筐体内において給湯熱交換器２０６および風呂熱交換器２０７が燃焼室２０２において共通のバーナ（第１バーナ２０３および第２バーナ２０４）により加熱されるいわゆる一缶二水の給湯器である。
【００２４】
ガス管６０１には、元ガス電磁弁２１１と、ガス比例弁２１２と、が設けられている。第１ガス分岐管６０２には、第１ガス電磁弁２１３が設けられている。第２ガス分岐管６０３には、第２ガス電磁弁２１４が設けられている。元ガス電磁弁２１１は、第１バーナ２０３および第２バーナ２０４に対するガスの供給および停止を制御する。ガス比例弁２１２は、対応する第１バーナ２０３および第２バーナ２０４への供給燃料量を弁開度でもって制御する。第１ガス電磁弁２１３および第２ガス電磁弁２１４は、対応する第１バーナ２０３および第２バーナ２０４への燃料供給・停止を制御する。
【００２５】
燃焼装置２０１の燃焼室２０２には、ドレン（水）の受け部としての給湯受け皿２２５がさらに設けられている。燃焼室２０２において燃焼排気中に存在する水蒸気が比較的低い温度の給湯潜熱熱交換器２０５の表面で結露し滴下すると、滴下したドレンは、給湯受け皿２２５に溜められる。給湯受け皿２２５は、ドレン排出管６３９を通して中和器２３１に接続されている。
【００２６】
中和器２３１は、中和器水位電極２３２を有し、ドレン排出管６３９を通して給湯受け皿２２５から導かれたドレンの中和処理を行う。ドレンタンク２３３は、水位電極２３４を有し、中和器２３１により中和処理されたドレンを貯留する。ドレンタンク２３３から溢れたドレンは、排水口２３３Ｂと、強制ドレン排出口２３３Ｃと、から適宜排水される。制御装置７０は、ガス湯沸かし部２０の各制御対象に電気的に接続されており、ガス湯沸かし部２０の各制御対象の動作を制御する。
【００２７】
次に、ガス湯沸かし部２０と、浴槽５０と、の配管による相互の接続について、図１を参照して説明する。
〔浴槽の配管系統６００〕
給湯器１０では、ガス湯沸かし部２０は、浴槽５０に対して浴槽の配管系統６００を介して接続されている。浴槽の配管系統６００は、第１管路６９１と、第２管路６９２と、を有する。第１管路６９１および第２管路６９２は、風呂熱交換器２０７と浴槽５０とを接続して、風呂熱交換器２０７と浴槽５０との間において水を循環させる。
【００２８】
第１管路６９１は、風呂熱交換器２０７の出口管６０９と、風呂往き管６１９と、を有する。風呂往き管６１９は、必ずしも風呂熱交換器２０７の出口管６０９と明確に区別されていなくともよく、風呂熱交換器２０７の出口管６０９と一体的に形成されていてもよい。第１管路６９１を流れる水は、風呂熱交換器２０７から浴槽５０に向かって流れる。第１管路６９１の上流側の端部の風呂熱交換器２０７の出口管６０９は、風呂熱交換器２０７の内部において、風呂熱交換器２０７の入口管６０８に接続されている。第１管路６９１の下流側の風呂往き管６１９の端部は、浴槽５０に接続されている。風呂往き管６１９には、風呂往きサーミスタ２５６と、水抜栓２９９と、が設けられている。
【００２９】
第２管路６９２は、風呂戻り管６２５と、風呂ポンプ出口管６１４と、風呂熱交換器２０７の入口管６０８と、を有する。風呂ポンプ出口管６１４は、必ずしも風呂熱交換器２０７の入口管６０８と明確に区別されていなくともよく、風呂熱交換器２０７の入口管６０８と一体的に形成されていてもよい。風呂ポンプ２３５が駆動している場合において、第２管路６９２を流れる水は、風呂ポンプ２３５から風呂熱交換器２０７に向かって流れる。第２管路６９２の下流側の端部は、風呂熱交換器２０７の内部において、風呂熱交換器２０７の出口管６０９に接続されている。第２管路６９２の風呂戻り管６２５は、循環金具（図示せず）を介して浴槽５０に接続されている。
【００３０】
風呂戻り管６２５には、風呂戻りサーミスタ２５７と、水抜栓２９８と、が設けられている。風呂戻りサーミスタ２５７は、風呂戻り管６２５を流れる水の温度を検出する。風呂ポンプ出口管６１４には、風呂水量スイッチ２５３と、水位センサ２５４と、が設けられている。風呂水量スイッチ２５３は、水が風呂ポンプ出口管６１４を流れていることを検出する。水位センサ２５４は、浴槽５０内の水位を検出する。
【００３１】
〔燃焼装置の配管系統〕
第２水導入管１５４は、給湯潜熱熱交換器２０５の入口管６０４に接続されている。第２水導入管１５４は、必ずしも給湯潜熱熱交換器２０５の入口管６０４と明確に区別されていなくともよく、給湯潜熱熱交換器２０５の入口管６０４と一体的に形成されていてもよい。第２水導入管１５４を流れる水は、給湯潜熱熱交換器２０５の入口管６０４に導かれる。第２水導入管１５４には、水量センサ１１６が設けられている。水量センサ１１６は、第２水導入管１５４を流れる水の流量を検出する。バイパスサーボ１１４は、第１水導入管１５３と、第２水導入管１５４と、給湯バイパス管６１１と、の接続部に設けられ、給湯バイパス管６１１と第２水導入管１５４とに導かれる水の比率を制御する。給湯バイパス管６１１は、一方の端部において第１水導入管１５３と第２水導入管１５４との接続部に接続され、他方の端部において給湯熱交換器２０６の出口管６０７に接続されている。バイパスサーボ１１４で制御できる第２水導入管１５４側の比率の下限値は、２０〜２５％位である。比率制御範囲のより広い（下限値を小さく出来る）バイパスサーボ１１４は、高価である。さらに、万が一、第２水導入管１５４側の比率が０％となってしまうと、火災等の事故につながる。そのため、安全確保の面でも、第２水導入管１５４側の比率の下限値が２０〜２５％位のバイパスサーボ１１４を用いることが好ましい。
【００３２】
給湯潜熱熱交換器２０５の入口管６０４は、給湯潜熱熱交換器２０５の出口管６０５に接続されている。給湯潜熱熱交換器２０５の入口管６０４は、必ずしも給湯潜熱熱交換器２０５の出口管６０５と明確に区別されていなくともよく、給湯潜熱熱交換器２０５の出口管６０５と一体的に形成されていてもよい。給湯潜熱熱交換器２０５の出口管６０５には、給湯潜熱熱交換器２０５の出口管６０５から分岐した給湯熱交換器２０６の入口管６０６が接続されている。給湯熱交換器２０６の入口管６０６には、水管サーミスタ２１８が設けられている。水管サーミスタ２１８は、給湯熱交換器２０６の入口管６０６を流れる水の温度を検出する。
【００３３】
給湯熱交換器２０６の入口管６０６は、給湯熱交換器２０６の出口管６０７に接続されている。給湯熱交換器２０６の入口管６０６は、必ずしも給湯熱交換器２０６の出口管６０７と明確に区別されていなくともよく、給湯熱交換器２０６の出口管６０７と一体的に形成されていてもよい。給湯熱交換器２０６の出口管６０７には、熱交換サーミスタ２１９と、給湯サーミスタ２２３と、湯量サーボ２２４と、水抜弁２９２と、が設けられている。熱交換サーミスタ２１９は、給湯熱交換器２０６の出口管６０７を流れる水であって、給湯熱交換器２０６を通過した直後の水の温度を検出する。給湯サーミスタ２２３は、給湯熱交換器２０６の出口管６０７を流れる水であって、湯量サーボ２２４側の水の温度を検出する。湯量サーボ２２４は、給湯管６１２および第１注湯管６４３に導かれる湯の量を制御する。
【００３４】
注湯電磁弁２６６は、第１注湯管６４３を介して湯量サーボ２２４に接続されている。第１注湯管６４３には、湯量センサ２９４が設けられている。湯量センサ２９４は、第１注湯管６４３を通る湯量を検出する。第１注湯管６４３は、注湯電磁弁２６６と、逆止弁２６７と、逆止弁２９５と、を介して、第２注湯管６４４に接続されている。第２注湯管６４４は、風呂ポンプ出口管６１４に接続されている。具体的には、第２注湯管６４４は、風呂ポンプ２３５と風呂熱交換器２０７との間における風呂ポンプ出口管６１４に接続されている。大気開放弁３０３は、管路６６６を介して第１水導入管１５３に接続され、管路６６７を介して排水口２３３Ｂに接続されている。
【００３５】
次に、本実施形態に係る給湯器１０の基本動作について、図１を参照して、順に説明する。
〔給湯動作〕
給湯器１０の給湯動作を説明する。
給湯動作は、水供給源（例えば水道）から供給された水を加熱し、給湯栓に供給する動作である。給湯栓が開かれると、制御装置７０は、バイパスサーボ１１４を制御する。そうすると、水供給源から供給される水の圧力によって、水が第１水導入管１５３および第２水導入管１５４を流れ、ガス湯沸かし部２０に供給される。水供給源から供給される水の温度は、例えば約１５℃程度である。
【００３６】
ガス湯沸かし部２０に供給される水の温度が給湯設定温度よりも低い場合には、制御装置７０は、給湯動作の制御を実行し、燃焼装置２０１を作動させる。すなわち、燃焼装置２０１の内部を流れる水は、第１バーナ２０３および第２バーナ２０４の少なくともいずれかにより加熱される。給湯潜熱熱交換器２０５において加熱された水の温度は、例えば約３０℃程度である。そして、給湯熱交換器２０６において加熱された水の温度は、例えば約７０℃程度である。
【００３７】
加熱された水（湯）は、給湯熱交換器２０６の出口管６０７を通り、バイパスサーボ１１４により給湯バイパス管６１１に導かれた水と例えば４９：５１で混合し、湯量サーボ２２４を介して給湯栓に供給される。給湯栓に導かれる水の温度は、７０℃×０．４９＋１５℃×０．５１で混合される結果、例えば約４２℃程度である。制御装置７０は、出口管６０７を流れる水の温度が７０℃と一致するように、第１バーナ２０３および第２バーナ２０４の出力を制御する。このときのバイパスサーボ１１４の第２水導入管１５４側の開度は、下限値である２０〜２５％より大きいので、制御範囲内である。
【００３８】
〔湯張り動作〕
給湯器１０の湯張り動作を説明する。
湯張り動作は、水供給源（例えば水道）から供給された水を加熱し、浴槽５０に供給する動作である。
使用者が自動ボタン（図示せず）を押すと、制御装置７０は、湯張り動作の制御を実行する。湯張り動作において、制御装置７０は、注湯電磁弁２６６を開く。そうすると、水供給源から供給される水の圧力によって、水が第１水導入管１５３および第２水導入管１５４を流れ、ガス湯沸かし部２０に供給される。水供給源から供給される水の温度は、例えば約１５℃程度である。
【００３９】
ガス湯沸かし部２０に供給される水の温度が湯張り設定温度よりも低い場合には、制御装置７０は、湯張り動作の制御を実行し、燃焼装置２０１を作動させる。燃焼装置２０１において加熱された水（湯）は、給湯熱交換器２０６の出口管６０７を通り、湯量サーボ２２４に導かれる。給湯潜熱熱交換器２０５において加熱された水の温度は、例えば約３０℃程度である。給湯熱交換器２０６において加熱された水の温度は、例えば約７０℃程度である。また、給湯器に対しては、約３３℃程度の低い温度で湯張りを行いたいという要望がある。そこで、給湯器１０が３３℃の湯張り設定温度の湯張り動作を実行する場合には、給湯熱交換器２０６において加熱される水の温度は、約３３℃程度である。この詳細については、後述する。
【００４０】
湯量サーボ２２４に導かれた水は、第１注湯管６４３を流れ、注湯電磁弁２６６と、逆止弁２６７と、逆止弁２９５と、を介して、第２注湯管６４４に導かれる。第２注湯管６４４に導かれた水は、風呂ポンプ出口管６１４に流れる。風呂ポンプ出口管６１４に導かれた水は、第２注湯管６４４と風呂ポンプ出口管６１４との接続部７００から風呂ポンプ２３５と風呂熱交換器２０７との両方向に向かって流れる。接続部７００から風呂ポンプ２３５に向かって流れた水は、第２管路６９２のうちの風呂ポンプ出口管６１４および風呂戻り管６２５を流れ、循環金具（図示せず）を介して浴槽５０に供給される。一方で、接続部７００から風呂熱交換器２０７に向かって流れた水は、第２管路６９２のうちの風呂ポンプ出口管６１４および風呂熱交換器２０７の入口管６０８と、第１管路６９１のうちの風呂熱交換器２０７の出口管６０９および風呂往き管６１９と、を流れ、循環金具（図示せず）を介して浴槽５０に供給される。
【００４１】
浴槽５０に導かれる水の温度は、例えば約４２℃程度である。あるいは、前述したように、浴槽５０に導かれる水の温度は、例えば約３３℃程度である場合がある。制御装置７０は、浴槽５０に供給される水の温度が、湯張り設定温度と一致するように、バイパスサーボ１１４の比率と、第１バーナ２０３および第２バーナ２０４の出力と、を制御する。そして、制御装置７０は、浴槽５０の内部の水位が循環金具（図示せず）よりも上になると、湯張り動作を一時中断し、浴槽５０の内部の水位を確認する。続いて、制御装置７０は、浴槽５０の内部の水位が設定水位になるまで湯張り動作の制御を実行する。
【００４２】
〔追い焚き動作〕
給湯器１０の追い焚き動作を説明する図である。
追い焚き動作は、浴槽５０の内部の水を循環させて加熱し、加熱された水を浴槽５０に戻す動作である。
【００４３】
使用者が自動ボタン（図示せず）を押し、湯張り動作が完了すると、制御装置７０は、浴槽５０の内部の水位を確認し、浴槽５０の内部の水の温度が設定温度と一致するように追い焚き動作の制御を実行する。あるいは、使用者が追い焚きボタン（図示せず）を押すと、制御装置７０は、浴槽５０の内部の水の温度が設定温度と一致するように追い焚き動作の制御を実行する。
【００４４】
制御装置７０が追い焚き動作の制御を実行すると、風呂ポンプ２３５が駆動する。そうすると、浴槽５０の内部の水は、風呂戻り管６２５を流れ、風呂ポンプ２３５を介して風呂ポンプ出口管６１４および風呂熱交換器２０７の入口管６０８に導かれる。
【００４５】
風呂熱交換器２０７を流れる水は、第１バーナ２０３および第２バーナ２０４の少なくともいずれかにより加熱される。風呂熱交換器２０７において加熱された水の温度は、例えば約６０℃程度である。風呂熱交換器２０７において加熱された水は、第１管路６９１のうちの風呂熱交換器２０７の出口管６０９および風呂往き管６１９を流れて、浴槽５０の内部に供給される。
【００４６】
図２は、本実施形態に係る給湯器の配管の概略図である。
なお、図２に示す構成要素が図１に示す構成要素と同じである場合には、その構成要素に同じ符号を付して詳細な説明を適宜省略する。
【００４７】
図２に示すように、接続部７００は、風呂ポンプ出口管６１４と、第２注湯管６４４と、が互いに接続された部分である。風呂ポンプ２３５は、接続部７００と、浴槽５０と、の間に配置されている。
【００４８】
第２注湯管６４４を流れた水は、接続部７００において、水の流れＳ１と、水の流れＳ２と、に分かれる。水の流れＳ１は、接続部７００から風呂熱交換器２０７に向かって流れる水の流れである。水の流れＳ２は、接続部７００から風呂ポンプ２３５に向かって流れる水の流れである。ここで、風呂熱交換器２０７の内部を流れる水に生ずる圧力損失（以下、説明の便宜上、単に「圧損」ともいう）は、風呂熱交換器２０７などの熱交換器が設けられていない管路を流れる水に生ずる圧損よりも大きい。そのため、風呂ポンプ２３５が接続部７００と浴槽５０との間に配置されていない場合には、水の流れＳ１において生ずる圧損は、水の流れＳ２において生ずる圧損に比べて大きい。
【００４９】
これに対して、本実施形態に係る給湯器１０では、風呂ポンプ２３５は、接続部７００からみて風呂熱交換器２０７の側ではなく、浴槽５０の側に配置されている。すなわち、風呂ポンプ２３５は、接続部７００と浴槽５０との間に配置されている。これにより、本実施形態に係る給湯器１０では、水の流れＳ１において生ずる圧損は、水の流れＳ２において生ずる圧損と略同程度に設定されている。すなわち、接続部７００から風呂熱交換器２０７に向かって流れる水の流量は、接続部７００から風呂ポンプ２３５に向かって流れる水の流量と略同程度である。なお、風呂ポンプ２３５が接続部７００と浴槽５０との間に配置されている場合であっても、水の流れＳ１において生ずる圧損は、水の流れＳ２において生ずる圧損よりも大きい。図１に関して前述したように、制御装置７０は、湯張り動作を行う際には、接続部７００から風呂ポンプ２３５と風呂熱交換器２０７との両方向に向かって流れる湯を用いて浴槽５０の湯張りを行うことができる。このため、片側の配管経路を用いる湯張り動作の場合に比べて、浴槽５０の湯張り時間が短くなる。
【００５０】
次に、図２において、３３℃の湯張り設定温度の湯張り動作が実行される場合を説明する。
給湯器１０においては、湯張り設定温度が３３℃の低い温度に設定される場合がある。この場合において、比較例に係る給湯器では、湯張り動作中に風呂熱交換器が結露し、風呂熱交換器においてドレンが発生するおそれがある。すなわち、比較例の制御装置が３３℃の湯張り設定温度の湯張り動作を実行すると、水供給源から供給された水は、給水管１５１を通じて、矢印Ｋ１、Ｋ２で示すように給湯熱交換器２０６と、給湯バイパス管６１１と、を通る。給湯熱交換器２０６を通る水は、給湯熱交換器２０６において加熱され、例えば７０℃の湯になる。給湯熱交換器２０６から流出した７０℃の湯は、給湯バイパス管６１１を流れた水と混合して例えば３０℃の湯となり、矢印Ｋ３、Ｋ４で示すように第１注湯管６４３および第２注湯管６４４を介して接続部７００に導かれる。このときのバイパスサーボ１１４では、例えば７０℃×０．２７＋１５℃×０．７３で水が混合される。すなわち、このときのバイパスサーボ１１４の第２水導入管１５４側の開度は下限値の２０〜２５％に近くなる。そのため、制御の余裕が少ない。このような場合において、給水温度が僅かに変化すると、水が混合しても３０℃を超えてしまう場合がある。そのような場合には、制御装置７０は、出口管６０７を流れる水の温度を７０℃より下げなければならなくなる。すなわち、給湯熱交換器２０６の温度が下がり、結露が発生しやすい状態となる。
【００５１】
水の流れＳ１の例えば３０℃の湯は、接続部７００から風呂熱交換器２０７を通ることにより再加熱されて、例えば３６℃になり、風呂熱交換器２０７の出口管６０９および風呂往き管６１９を通じて浴槽５０内に供給される。一方で、水の流れＳ２の例えば３０℃の湯は、風呂ポンプ出口管６１４の一部および風呂戻り管６２５を通じて浴槽５０内に供給される。風呂往き管６１９を介して浴槽５０に供給された３６℃の湯と、風呂戻り管６２５を介して浴槽５０に供給された３０℃の湯と、は浴槽５０内で互いに混合し、３３℃の湯となる。これにより、３３℃の湯張りが行われる。
【００５２】
しかし、比較例に係る給湯器では、３３℃の湯張り設定温度の湯張り動作が実行されると、前述したように、３０℃程度の湯が風呂熱交換器２０７を通る。前述したように、給湯熱交換器２０６の温度が下がり、結露が発生しやすい状態となっている状態で、風呂熱交換器２０７を低い温度の３０℃程度の湯が通ると、本実施形態に係る給湯器１０のように給湯熱交換器２０６と風呂熱交換器２０７とが一体となっている一缶二水型の熱交換器では、湯張り動作中に風呂熱交換器が結露し、風呂熱交換器においてドレンが発生するおそれがある。そうすると、給湯器の寿命が短くなるおそれがある。
【００５３】
これに対して、本実施形態に係る給湯器１０の制御装置７０は、３３℃の湯張り設定温度の湯張り動作を実行する際に、風呂熱交換器２０７の内部の湯を空気ＡＲに置換する空気置換動作を実行した後、湯張り設定温度（３３℃）に応じて湯量サーボ２２４を制御するとともに第２管路６９２のみを用いて浴槽５０に湯を供給する制御を実行する。ここでいう「第２管路６９２のみ」とは、具体的には、接続部７００と風呂ポンプ２３５との間の風呂ポンプ出口管６１４、および風呂戻り管６２５である。
【００５４】
本実施形態に係る給湯器１０によれば、制御装置７０が３３℃の湯張り設定温度の湯張り動作を実行する際に空気置換動作を実行するため、風呂熱交換器２０７の内部の配管は、空気ＡＲで満たされる。そして、制御装置７０は、空気置換動作を実行した後、湯張り動作における湯張り設定温度（３３℃）に応じて湯量サーボ２２４を制御するとともに、第２管路６９２のみを用いて浴槽５０に湯を供給する制御を実行する。そのため、湯張り動作中において、風呂熱交換器２０７の内部の配管が空気ＡＲで満たされた状態のままで、給湯熱交換器２０６により生成された湯は、第１注湯管６４３および第２注湯管６４４を通り、風呂熱交換器２０７に導かれることなく浴槽５０に供給される。また、給湯熱交換器２０６により生成された湯は、風呂熱交換器２０７には導かれないため、風呂熱交換器２０７において再加熱されない。そのため、制御装置７０は、給湯出湯温度を湯張り設定温度（３３℃）と同じ温度に設定することができる。そのため、湯張り動作中では、風呂熱交換器２０７の温度が比較的高い温度に保持される。これにより、風呂熱交換器２０７においてドレンが発生することを抑えることができる。また、給湯器１０の寿命が短くなることを抑えることができる。
【００５５】
次に、上述した空気置換動作を、図面を参照して説明する。空気置換動作は、風呂熱交換器２０７の内部の配管から湯を抜いて空気ＡＲに置換し、風呂熱交換器２０７の内部の配管を空気ＡＲで満たす動作である。
【００５６】
〔第１空気置換動作〕
図３は、本実施形態の第１空気置換動作を説明する模式図である。
第１空気置換動作では、まず、制御装置７０は、湯張り動作を開始するときに、浴槽５０内に残り湯があるか否かを水位センサ２５４で確かめる。このために、制御装置７０は、給水管１５１から１０リットル（Ｌ）程度の所定量の水を風呂戻り管６２５と、風呂ポンプ出口管６１４と、風呂熱交換器２０７の入口管６０８と、風呂熱交換器２０７の出口管６０９と、風呂往き管６１９と、に流して、これらの配管内を水で満たす。そして、制御装置７０は、注湯電磁弁２６６を閉めることで水（湯）の供給を一旦止め、水位センサ２５４の検出信号に基づいて浴槽５０内の水位を確認する。制御装置７０は、浴槽５０内の水位が低いと判断したら、図１に関して前述した湯張り動作により、浴槽５０内に多量の湯を送り込み浴槽５０の湯張りを行う。
【００５７】
このとき、制御装置７０が注湯電磁弁２６６を閉めて水（湯）の供給を停止すると、図３に示す矢印Ｒのように、風呂熱交換器２０７の内部の湯は、風呂熱交換器２０７の入口管６０８および風呂ポンプ出口管６１４を風呂ポンプ２３５へ向かって流れる。すなわち、図２に関して前述したように、水の流れＳ１において生ずる圧損は、水の流れＳ２において生ずる圧損に比べて大きい。そのため、制御装置７０が湯量サーボ２２４を閉めて水の流れを止めると、慣性の法則により、相対的に圧損の大きい水の流れＳ１は、相対的に圧損の小さい水の流れＳ２の方向に向かって流れる。この際に、浴槽５０内には１０Ｌの水しか存在していないので、浴槽５０の循環金具から風呂往き管６１９を通じて風呂熱交換器２０７内へ空気ＡＲが吸い込まれる。
【００５８】
このため、風呂熱交換器２０７の内部の湯は、風呂熱交換器２０７から抜かれて空気ＡＲに置換される。すなわち、接続部７００からみて風呂ポンプ２３５の側を流れる水に生ずる圧損は、接続部７００からみて風呂熱交換器２０７の側を流れる水に生ずる圧損に比べて小さいので、風呂熱交換器２０７の内部に残っている湯は、図３の矢印Ｒの方向に抜かれて空気ＡＲに置換される。これにより、風呂熱交換器２０７の内部の配管は、空気ＡＲで満たされる。
【００５９】
そして、制御装置７０は、第１空気置換動作を実行した後、湯張り動作における湯張り設定温度（３３℃）に応じて湯量サーボ２２４を制御するとともに、第２管路６９２のみを用いて浴槽５０に湯を供給する制御を実行する。つまり、制御装置７０は、３３℃の湯張り設定温度の湯張り動作を実行する場合には、湯量サーボ２２４の開度を絞る制御を実行し、接続部７００から風呂熱交換器２０７に向かって湯が流れることを抑制する。言い換えれば、制御装置７０は、湯量サーボ２２４の開度を絞り、風呂熱交換器２０７にかかる水圧を低く抑えて、風呂熱交換器２０７の内部の空気ＡＲを押し出さないように制御する。風呂熱交換器２０７は、接続部７００に対して上方に位置する（図１参照）。風呂ポンプ２３５は、接続部７００に対して下方に位置する（図１参照）。水圧を低く抑えることで、少量の湯が接続部７００に対して供給される。このとき、湯水は、重力により優先的に風呂ポンプ２３５に供給され、風呂熱交換器２０７の内部の空気ＡＲを押し出すことはない。これにより、湯張り動作中において、風呂熱交換器２０７の内部の配管が空気ＡＲで満たされた状態のままで、給湯熱交換器２０６により生成された湯は、第１注湯管６４３および第２注湯管６４４を通り、風呂熱交換器２０７に導かれることなく浴槽５０に供給される。すなわち、いわゆる片搬送の湯張りが行われる。これにより、図２に関して前述したように、風呂熱交換器２０７においてドレンが発生することを抑えることができる。また、給湯器１０の寿命が短くなることを抑えることができる。さらに、本実施形態に係る給湯器１０によれば、制御装置７０は、湯張り動作を開始してから所定量の湯を浴槽５０へ供給した後に湯量サーボ２２４を閉じる一連の動作により、風呂熱交換器２０７の内部の湯を第２管路６９２へ導き空気ＡＲに置換する第１空気置換動作を実行することができる。
【００６０】
湯量サーボ２２４の開度によっては、接続部７００から風呂熱交換器２０７に向かって湯が流れることがある。この場合には、第１バーナ２０３および第２バーナ２０４の燃焼による熱が給湯熱交換器２０６の内部の水だけではなく風呂熱交換器２０７の内部の水に供給される。そのため、接続部７００から風呂熱交換器２０７に向かって湯が流れ始めると、熱交換サーミスタ２１９（図１参照）の検出温度が低下する。制御装置７０は、熱交換サーミスタ２１９の検出温度の低下を検知すると、湯量サーボ２２４を閉めて水（湯）の供給を停止するとともに、このときの湯量サーボ２２４の開度を記憶する制御を実行する。これによれば、制御装置７０は、記憶された湯量サーボ２２４の開度に基づいて、接続部７００から風呂熱交換器２０７に向かって湯が流れることをより確実に抑制することができる。
【００６１】
もし、制御装置７０が湯量サーボ２２４を閉めて水（湯）の供給を停止しても、風呂熱交換器２０７の内部の湯が空気ＡＲに置換されない場合には、制御装置７０は、４２℃の湯と水とを交互に風呂熱交換器２０７に流す制御を実行する。具体的には、制御装置７０は、風呂熱交換器２０７に対して先に注水して、風呂熱交換器２０７が結露しそうなときに、後から４２℃の湯を風呂熱交換器２０７注湯する制御を実行する。制御装置７０は、この動作を繰り返して実行することにより、風呂熱交換器２０７の内部の湯が空気ＡＲに置換されない場合であっても、結露しようとする風呂熱交換器２０７を４２℃の湯の熱で乾燥させつつ、３３℃の湯張り設定温度の湯張り動作を実行することができる。
【００６２】
なお、制御装置７０は、通常の例えば４２℃程度の湯張り設定温度の湯張り動作を実行する場合には、湯張り時間が短くなるように、湯量サーボ２２４の開度を３３℃の湯張り設定温度の湯張り動作の場合よりも大きい開度に設定し、風呂往き管６１９と、風呂戻り管６２５と、の両方を用いて、いわゆる両搬送の湯張りを行う。
【００６３】
〔第２空気置換動作〕
図４は、本実施形態の第２空気置換動作を説明する模式図である。
第２空気置換動作では、まず、制御装置７０は、水位センサ２５４の検出信号に基づいて浴槽５０の栓が抜かれ浴槽５０の内部の水が所定水位に下がったことを検知すると、給湯熱交換器２０６により生成された湯を風呂熱交換器２０７の内部へ導き風呂熱交換器２０７の内部の配管を洗浄する配管洗浄動作を実行する。例えば、給湯器１０の使用者が入浴後に浴槽５０内から残り湯を抜くと、制御装置７０は、水位センサ２５４の検出信号に基づいて、湯が浴槽５０の内部から抜かれたことを検知することができる。制御装置７０は、水位センサ２５４の検出信号に基づいて、湯が浴槽５０の内部から抜かれたことを検知し、浴槽５０の内部の水位が循環金具の位置以下に低下したことを検知すると、給湯熱交換器２０６により生成された例えば４８℃以上の湯を、接続部７００を介して、風呂戻り管６２５と、風呂ポンプ出口管６１４と、風呂熱交換器２０７の入口管６０８と、風呂熱交換器２０７の出口管６０９と、風呂往き管６１９と、に導く。これにより、風呂熱交換器２０７の内部の配管を洗浄する配管洗浄動作が実行される。
【００６４】
これによれば、制御装置７０は、入浴剤などが第１管路６９１および第２管路６９２の配管内に残っている場合であっても、第１管路６９１および第２管路６９２の配管内を洗浄することができるとともに、４８℃以上の高温の湯により第１管路６９１および第２管路６９２の配管内を殺菌することができる。言い換えれば、制御装置７０は、入浴剤などが風呂熱交換器２０７の内部の配管内に残っている場合であっても、風呂熱交換器２０７の内部の配管を洗浄することができるともに、４８℃以上の高温の湯により風呂熱交換器２０７の内部の配管を殺菌することができる。そして、制御装置７０は、浴槽５０の内部の水位が循環金具の位置よりも低下し、循環金具が空気中に出てから、配管洗浄用の湯を止め、配管洗浄動作を終了する。
【００６５】
風呂熱交換器２０７の内部の配管の洗浄が終了した後に、制御装置７０は、風呂ポンプ２３５を駆動させて、風呂熱交換器２０７の内部の湯を浴槽５０の内部に排出し空気ＡＲに置換する。これにより、風呂熱交換器２０７の内部の配管は、空気ＡＲで満たされる。
【００６６】
なお、風呂熱交換器２０７の内部の配管の洗浄が終了した後に、制御装置７０が風呂ポンプ２３５を駆動させると、第１管路６９１および第２管路６９２に存在する湯に空気ＡＲが混入する。ここで、風呂熱交換器２０７は、風呂戻り管６２５、風呂ポンプ出口管６１４および風呂往き管６１９よりも高い位置に設けられている。そのため、第１管路６９１および第２管路６９２に存在する湯に混入した空気ＡＲは、時間が経過すると風呂熱交換器２０７の内部の配管に集まる。そのため、風呂ポンプ２３５の駆動により風呂熱交換器２０７の内部の配管の湯のすべてが排出されなくとも、風呂ポンプ２３５の駆動は、風呂熱交換器２０７の内部の湯が空気ＡＲに置換される第２空気置換動作を誘発することができる。
【００６７】
そして、制御装置７０は、第２空気置換動作を実行した後、湯張り動作における湯張り設定温度（３３℃）に応じて湯量サーボ２２４を制御するとともに、第２管路６９２のみを用いて浴槽５０に湯を供給する制御を実行する。これは、図３に関して前述した通りである。これにより、図２および図３に関して前述したように、風呂熱交換器２０７においてドレンが発生することを抑えることができる。また、給湯器１０の寿命が短くなることを抑えることができる。
【００６８】
なお、図３に関して前述した第１空気置換動作の場合と同様に、制御装置７０は、通常の例えば４２℃程度の湯張り設定温度の湯張り動作を実行する場合には、湯張り時間が短くなるように、湯量サーボ２２４の開度を３３℃の湯張り設定温度の湯張り動作の場合よりも大きい開度に設定し、風呂往き管６１９と、風呂戻り管６２５と、の両方を用いて、いわゆる両搬送の湯張りを行う。
【００６９】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【００７０】
１０・・・給湯器、  ２０・・・ガス湯沸かし部、  ５０・・・浴槽、  ７０・・・制御装置、  １１４・・・バイパスサーボ、  １１６・・・水量センサ、  １５１・・・給水管、  １５２・・・水フィルタ兼水道栓、  １５３・・・第１水導入管、  １５４・・・第２水導入管、  ２０１・・・燃焼装置、  ２０２・・・燃焼室、  ２０３・・・第１バーナ、  ２０４・・・第２バーナ、  ２０５・・・給湯潜熱熱交換器、  ２０６・・・給湯熱交換器、  ２０７・・・風呂熱交換器、  ２０８・・・燃焼ファン、  ２１１・・・元ガス電磁弁、  ２１２・・・ガス比例弁、  ２１３・・・第１ガス電磁弁、  ２１４・・・第２ガス電磁弁、  ２１５・・・点火プラグ、  ２１６・・・フレームロッド、  ２１７・・・過熱防止装置、  ２１８・・・水管サーミスタ、  ２１９・・・熱交換サーミスタ、  ２２３・・・給湯サーミスタ、  ２２４・・・湯量サーボ、  ２２５・・・給湯受け皿、  ２３１・・・中和器、  ２３２・・・中和器水位電極、  ２３３・・・ドレンタンク、  ２３３Ｂ・・・排水口、  ２３３Ｃ・・・強制ドレン排出口、  ２３４・・・水位電極、  ２３５・・・風呂ポンプ、  ２５３・・・風呂水量スイッチ、  ２５４・・・水位センサ、  ２５６・・・風呂往きサーミスタ、  ２５７・・・風呂戻りサーミスタ、  ２６６・・・注湯電磁弁、  ２６７・・・逆止弁、  ２９２・・・水抜弁、  ２９４・・・湯量センサ、  ２９５・・・逆止弁、  ２９８、２９９・・・水抜栓、  ３０３・・・大気開放弁、  ６００・・・浴槽の配管系統、  ６０１・・・ガス管、  ６０２・・・第１ガス分岐管、  ６０３・・・第２ガス分岐管、  ６０４・・・給湯潜熱熱交換器の入口管、  ６０５・・・給湯潜熱熱交換器の出口管、  ６０６・・・給湯熱交換器の入口管、  ６０７・・・給湯熱交換器の出口管、  ６０８・・・風呂熱交換器の入口管、  ６０９・・・風呂熱交換器の出口管、  ６１１・・・給湯バイパス管、  ６１２・・・給湯管、  ６１４・・・風呂ポンプ出口管、  ６１９・・・風呂往き管、  ６２５・・・風呂戻り管、  ６３９・・・ドレン排出管、  ６４３・・・第１注湯管、  ６４４・・・第２注湯管、  ６６６、６６７・・・管路、  ６９１・・・第１管路、  ６９２・・・第２管路、  ７００・・・接続部、  ＡＲ・・・空気
【図１】
2019148356.tif 000003
【図２】
2019148356.tif 000004
【図３】
2019148356.tif 000005
【図４】
2019148356.tif 000006